(57)【要約】【課題】  金券代金の振替支払い処理に伴う異なる金融機関の間での資金移動を最小限にし、口座振替処理を効率的に行なえる金券代金の支払い処理方法を提供する。【解決手段】  第１加盟店端末から管理サーバに金券情報を送信し、第２加盟店端末から管理サーバに金券情報を送信し、管理サーバで売上請求データと相殺残金額を算出し、管理サーバから第１又は第２金融機関のホストコンピュータに相殺残金情報を送信し、管理サーバから第１金融機関に第１金券発行元口座から第１加盟店口座への振替金券代金情報を送信し、管理サーバから第２金融機関に第２金券発行元口座から第２加盟店口座への振替金券代金情報を送信し、第１と第２金融機関のホストコンピュータの間で相殺残金の振替振込処理を行ない、第１金融機関で第１金券発行元口座から第１加盟店口座へ振替振込処理を行い、第２金融機関で第２金券発行元口座から第２加盟店口座へ振替振込処理を行なう。【選択図】        図１
2006252280.tif 000002
【特許請求の範囲】
【請求項１】
第１金融機関に、第１加盟店口座と第１金券発行元口座とを有し、また第２金融機関に、第２加盟店口座と第２金券発行元口座とを有し、金券発行元から加盟店に対する金券代金の精算処理を金融機関により行なう金券代金の支払い処理方法であって、
前記第１加盟店端末から第三者機関の管理サーバに、金券情報を送信するステップと、
前記第２加盟店端末から前記第三者機関の管理サーバに、金券情報を送信するステップと、
前記第三者機関の管理サーバにおいて、前記第１加盟店端末及び前記第２加盟店端末から受信した金券情報に基づいて、前記第１加盟店及び前記第２加盟店への代金支払請求データを生成するステップと、
前記第三者機関の管理サーバにおいて、前記代金支払請求データに基づいて前記第１金融機関と前記第２金融機関との間の入出金額を相殺した後の相殺残金額を算出するステップと、
前記相殺残金が、前記第１金融機関から前記第２金融機関に対して支払われるべき金銭である場合には、前記第三者機関の管理サーバから前記第１金融機関のホストコンピュータに対して、前記第１金融機関から前記第２金融機関に支払われるべき相殺残金情報を送信するステップと、
前記相殺残金が、前記第２金融機関から前記第１金融機関に対して支払われるべき金銭である場合には、前記第三者機関の管理サーバから前記第２金融機関のホストコンピュータに対して、前記第２金融機関から前記第１金融機関に支払われるべき相殺残金額情報を送信するステップと、
前記第三者機関の管理サーバから前記第１金融機関のホストコンピュータに対して、前記第１金券発行元口座から前記第１加盟店口座へ支払うための金券代金情報を送信するステップと、
前記第三者機関の管理サーバから前記第２金融機関のホストコンピュータに対して、前記第２金券発行元口座から前記第２加盟店口座へ支払うための金券代金情報を送信するステップと、
前記第１金融機関のホストコンピュータと前記第２金融機関のホストコンピュータとの間において、前記相殺残金の処理を行なうステップと、
前記第１金融機関のホストコンピュータにおいて、前記第１金券発行元口座から前記第１加盟店口座へ前記金券代金情報に基づく処理を行なうステップと、
前記第２金融機関のホストコンピュータにおいて、前記第２金券発行元口座から前記第２加盟店口座へ前記金券代金情報に基づく処理を行なうステップと、
からなることを特徴とする金券代金の支払い処理方法。
【発明の詳細な説明】
【技術分野】
【０００１】
本発明は、金券発行元から加盟店に対する金券代金の精算処理を金融機関により行なう場合の金券代金の支払い処理方法に関する。
【背景技術】
【０００２】
従来、例えば、商品券、ギフトカード、旅行券、食事券、ビール券、アイスクリーム券、図書券、文具券、など金銭的な価値を有する種々の金券が多種類発行されている。
これらの金券は、贈答用やプレゼントとして使用されたりすることも多いことから、利用者にとって、広範囲にどこの商店でも共通して使用できるという利便性がある。
【０００３】
また、顧客が代金の代わりに店などに支払った金券は、店側からその金券を発行した発行元である金券発行者に送られて、その金券額に応じた金銭の支払いを金券発行者に請求し、金券発行者から店側にそれらの金銭を支払うことで金券代金の支払い精算処理が行なわれる。
金券代金の支払い精算処理においては、金融機関の口座振替振込処理により、金券発行元の口座から加盟店の口座に対する精算が行なわれている。
これらの処理では、異なる金融機関の間での振込や、同一金融機関内の口座間での振替処理など様々であるが、異なる金融機関の間での振込処理を相殺できる場合であっても、１つ１つの振込処理を行なうために、異なる金融機関の間での資金移動が複雑となり効率的でないという問題がある。
【０００４】
例えば、図４に示すように、第１金融機関に、第１加盟店口座と第１金券発行元口座とを有し、また第２金融機関に、第２加盟店口座と第２金券発行元口座とを有する場合であって、第１加盟店が第２金券発行元に対して５０万円の金券代金の支払い請求を行い、また、第２加盟店が第１金券発行元に対して１００万円の金券代金の支払い請求を行なっているとする。
この場合には、第１金融機関の第１金券発行元口座から第２金融機関の第２加盟店口座に対して、１００万円の振込みが行なわれ、また、第２金融機関の第２金券発行元口座から第１金融機関の第１加盟店口座に対して、５０万円の振込みが行なわれる。
つまり、第１金融機関と第２金融機関の間での資金移動を相殺すると、第１金融機関から第２金融機関へ５０万円だけを振込み処理すればよいが、従来の処理では、異なる金融機関の間での資金移動が２回行なうことが必要となり、効率が悪いという問題がある。
【０００５】
従来の金券処理システムにおいて、金券類の券番号を読み取って、予め登録されている券番号と照合することで、金券類の回収処理や真偽判別を行うシステムが既に公知となっているが、金券代金の支払い精算処理を効率的に行なうという技術はなかった。（例えば、特許文献１参照）
【特許文献１】特開平１０−３４０３６８号公報
【発明の開示】
【発明が解決しようとする課題】
【０００６】
本発明は、金券発行元から加盟店に対する金券代金の精算処理を、金融機関の口座振替により行なう場合において、金券代金の振替振込支払い処理に伴う異なる金融機関の間での資金移動を最小限に抑えることができるようにすると共に、金融機関での口座振替振込処理を効率的に行なえるようにした金券代金の支払い処理方法を提供する。
【課題を解決するための手段】
【０００７】
本発明の金券代金の支払い処理方法は、第１金融機関に、第１加盟店口座と第１金券発行元口座とを有し、また第２金融機関に、第２加盟店口座と第２金券発行元口座とを有し、金券発行元から加盟店に対する金券代金の精算処理を金融機関により行なう金券代金の支払い処理方法であって、前記第１加盟店端末から第三者機関の管理サーバに、金券情報を送信するステップと、前記第２加盟店端末から前記第三者機関の管理サーバに、金券情報を送信するステップと、前記第三者機関の管理サーバにおいて、前記第１加盟店端末及び前記第２加盟店端末から受信した金券情報に基づいて、前記第１加盟店及び前記第２加盟店への代金支払請求データを生成するステップと、前記第三者機関の管理サーバにおいて、前記代金支払請求データに基づいて前記第１金融機関と前記第２金融機関との間の入出金額を相殺した後の相殺残金額を算出するステップと、前記相殺残金が、前記第１金融機関から前記第２金融機関に対して支払われるべき金銭である場合には、前記第三者機関の管理サーバから前記第１金融機関のホストコンピュータに対して、前記第１金融機関から前記第２金融機関に支払われるべき相殺残金情報を送信するステップと、前記相殺残金が、前記第２金融機関から前記第１金融機関に対して支払われるべき金銭である場合には、前記第三者機関の管理サーバから前記第２金融機関のホストコンピュータに対して、前記第２金融機関から前記第１金融機関に支払われるべき相殺残金額情報を送信するステップと、前記第三者機関の管理サーバから前記第１金融機関のホストコンピュータに対して、前記第１金券発行元口座から前記第１加盟店口座へ支払うための金券代金情報を送信するステップと、前記第三者機関の管理サーバから前記第２金融機関のホストコンピュータに対して、前記第２金券発行元口座から前記第２加盟店口座へ支払うための金券代金情報を送信するステップと、前記第１金融機関のホストコンピュータと前記第２金融機関のホストコンピュータとの間において、前記相殺残金の処理を行なうステップと、前記第１金融機関のホストコンピュータにおいて、前記第１金券発行元口座から前記第１加盟店口座へ前記金券代金情報に基づく処理を行なうステップと、前記第２金融機関のホストコンピュータにおいて、前記第２金券発行元口座から前記第２加盟店口座へ前記金券代金情報に基づく処理を行なうステップと、からなることを特徴とする。
【発明の効果】
【０００８】
本発明の金券代金の支払い処理方法は、異なる金融機関の間で相殺できる振込処理や、同一金融機関内にある口座間での振替処理が可能な場合については、予め第三者機関の管理サーバにおいて集計し、金融機関での振替振込処理が効率的に行なえるようにデータを整理し、第三者機関から金融機関に振替振込情報を提供するので、金券発行元から加盟店に対する金券代金の精算処理を、金融機関の口座振替振込により行なう場合において、金券代金の振替振込支払い処理に伴う異なる金融機関の間での資金移動を最小限に抑えることができ、更に金融機関での口座振替振込処理を効率的に行なえるという効果がある。
【発明を実施するための最良の形態】
【０００９】
以下、本発明の実施の形態を図面に基づいて詳細に説明する。
図１は、本発明の実施形態に係る金券代金の支払い処理方法に関するシステム構成の概要を説明する図、図２は、本発明の実施形態に係る金券代金の支払い処理方法の処理に関する説明図、図３は、本発明の実施形態に係る金券代金の支払い処理方法の処理手順を示すフローチャート図、図４は、従来の支払い処理方法について説明する図である。
【００１０】
まず、本発明の実施形態に係る金券代金の支払い処理方法に適応するシステム構成を、図１に基づいて説明する。
図１には、２つの異なる第１加盟店１ａと第２加盟店１ｂに対して、金券代金の振替支払いを行なう場合のシステム構成について示されている。
第１加盟店１ａには、第１の端末２ａが備えられ、また第２加盟店１ｂには、第２の端末２ｂが備えられ、それぞれの端末は、通信回線３を介して第三者機関４の管理サーバ５と通信可能に接続されている。
【００１１】
第三者機関４の管理サーバ５は、通信回線６を介して第１金融機関７ａのホストコンピュータ８ａと通信可能に接続され、更に、通信回線６を介して第２金融機関７ｂのホストコンピュータ８ｂとも通信可能に接続されている。
第１金融機関７ａのホストコンピュータ８ａには、第１加盟店の口座９と第１金券発行元の口座１０とが開設され、第１加盟店に対する金券代金の振替振込支払いには、この口座９に払い込むことになっている。
また、第２金融機関７ｂのホストコンピュータ８ｂには、第２加盟店の口座１１と第２の金券発行元の口座１２とが開設され、第２加盟店に対する金券代金の振替支払いには、この口座１１に払い込むことになっている。
【００１２】
図２に示すように、第１加盟店１ａは、金券情報を第１の端末２ａを使用して、第三者機関４の管理サーバ５に対して送信する。
また、第２加盟店１ｂは、金券情報を第２の端末２ｂを使用して、第三者機関４の管理サーバ５に対して送信する。
管理サーバ５に送信する金券情報とは、第１加盟店１ａまたは第２加盟店１ｂが、顧客から代金の代わりに受け取った金券の金券番号などの金券取引データである。
第三者機関４の管理サーバ５には、金券を取り扱う多くの加盟店の端末と通信可能に接続され、随時に加盟店の端末から管理サーバ５に対して金券情報が送信されてくる。
【００１３】
第三者機関４の管理サーバ５は、金券を取り扱う多くの加盟店の端末から受信した金券情報をデータベース化して登録し、毎月毎の予め定めた処理日に、その１ヵ月分に受信した金券情報をまとめて処理する機能を有している。
第三者機関４の管理サーバ５での処理では、金券情報から売上請求データを生成され、更にその売上請求データに基づいて、異なる金融機関の間での相殺処理が可能な案件に基づく相殺処理データと精算処理データの生成が行なわれる。
そして、これらの相殺処理データと精算処理データに基づいて、各金融機関向けの指示情報を生成して、第三者機関４の管理サーバ５から各金融機関のホストコンピュータに対しての送信処理が行なわれる。
【００１４】
第三者機関４の管理サーバ５から各金融機関のホストコンピュータに対して送信する指示情報としては、相殺処理した後の相殺残金額と、支払先の金融機関を特定する情報、各金融機関に開設されている加盟店口座への振込指示として、振込先の加盟店口座番号と振り込む金額、などの情報である。
そして、各金融機関のホストコンピュータでは、第三者機関４の管理サーバ５から受信した指示情報に基づいて、他の金融機関に対する振込処理と、自社内に開設されている振込先の加盟店口座への振込処理が行なわれる。
【００１５】
本発明の実施形態に係る金券代金の支払い処理方法の処理手順をフローチャート図に基づいて説明する。
この処理手順の説明では、第１加盟店が、第２金券発行元に対して、金券代金として５０万円の支払い請求を行い、また一方で、第２加盟店が、第１金券発行元に対して、金券代金として１００万円の支払い請求を行なうという事例についての説明を行なう。
【００１６】
第１加盟店は、第１加盟店端末２ａから第三者機関の管理サーバ５へ金券情報を送信する（ステップＳ１）
一方で、第２加盟店は、第２加盟店端末２ｂから第三者機関の管理サーバ５へ金券情報を送信する。（ステップＳ２）
第三者機関の管理サーバ５において、第１加盟店及び第２加盟店での金券に基づく売上請求データを生成する。（ステップＳ３）
第三者機関の管理サーバ５において、生成した売上請求データに基づいて、第１加盟店への支払い情報と、第２加盟店への支払い情報から、金融機関間での相殺処理が可能な条件であるか否かの判定処理が行なわれる。（ステップＳ４）
この判定処理においては、金融機関間で５０万円の相殺処理が可能であるとの判定が行なわれる。
【００１７】
この判定処理の結果、金融機関間での相殺処理が可能であると判定された場合には、金融機関間での相殺後における相殺残金額情報と、同一金融機関内での口座振替振込情報とを、第三者機関の管理サーバ５から第１金融機関のホストコンピュータ８ａと、第２金融機関のホストコンピュータ８ｂとに対して送信する。（ステップＳ５）
ここで、相殺残金額情報は、第１金融機関から第２金融機関に対して５０万円の相殺残金額となり、また、同一金融機関内での口座振替振込情報としては、第１金融機関内における第１金券発行元口座から第１加盟店口座に対して、５０万円の振替振込処理と、更に、第２金融機関内における第２金券発行元口座から第２加盟店口座に対して、１００万円の振替振込処理を行なうことを依頼する情報からなる。
【００１８】
次に、第１金融機関のホストコンピュータ８ａは、第三者機関の管理サーバ５から相殺残金額情報と口座振替振込情報とを受信した後に、第１金融機関のホストコンピュータ８ａから第２金融機関のホストコンピュータ８ｂに対して、相殺残金額の５０万円の支払い振込み処理を行なう。（ステップＳ６）
更に、第１金融機関のホストコンピュータ８ａは、第１金融機関内における第１金券発行元口座から第１加盟店口座に対して、５０万円の振替振込処理を行なう。（ステップＳ７）
【００１９】
また、第２金融機関のホストコンピュータ８ｂは、第２金融機関内における第２金券発行元口座から第２加盟店口座に対して、１００万円の振替振込処理を行なう。（ステップＳ８）
以上の処理により、第１加盟店口座には、請求した５０万円が入金され、また第２加盟店口座には、１００万円が入金される。
このように、相殺処理により異なる金融機関の間における資金移動の回数を減らすことができる。
【図面の簡単な説明】
【００２０】
【図１】本発明の実施形態に係る金券代金の支払い処理方法に関するシステム構成の概要を説明する図である。
【図２】本発明の実施形態に係る金券代金の支払い処理方法の処理に関する説明図である。
【図３】本発明の実施形態に係る金券代金の支払い処理方法の処理手順を示すフローチャート図である。
【図４】従来の支払い処理方法について説明する図である。
【符号の説明】
【００２１】
１ａ  第１加盟店
１ｂ  第２加盟店
２ａ  第１の端末
２ｂ  第２の端末
３，６  通信回線
４  第三者機関
５  管理サーバ
７ａ  第１金融機関
７ｂ  第２金融機関
８ａ  第１金融機関のホストコンピュータ
８ｂ  第２金融機関のホストコンピュータ
９  第１加盟店の口座
１０  第１金券発行元の口座
１１  第２加盟店の口座
１２  第２の金券発行元の口座
【図１】
2006252280.tif 000003
【図２】
2006252280.tif 000004
【図３】
2006252280.tif 000005
【図４】
2006252280.tif 000006